(57)【要約】【課題】スキューの抑制とコモンモードコンバージョンの悪化の抑制とを両立する回路基板を提供すること。【解決手段】回路基板１００は、第１配線層２００と、第２配線層４００とを少なくとも備えている。第１配線層２００には、連結部３００と、一対の第１配線部２８０と、一対の第２配線部２９０とが形成されている。連結部３００は、第１連結点対３１０と、第２連結点対３２０と、内側配線部３４０と、外側配線部３６０と、グランド導体部３８０とを有している。内側配線部３４０の配線長と、外側配線部３６０の配線長とは、互いに等しい。グランド導体部３８０は、内側配線部３４０と外側配線部３６０との間に配置されている。一対の第１配線部２８０の配線長は、互いに等しい。一対の第２配線部２９０の配線長は、互いに等しい。グランド導体部３８０は、ビア４２０を介して回路基板１００の第２配線層４００のグランドパターンに接続されている。【選択図】図１
2019114672.tif 000002
【特許請求の範囲】
【請求項１】
第１接続対象物と第２接続対象物との間を電気的に接続するための回路基板であって、
前記回路基板は、第１配線層と、第２配線層とを少なくとも備えており、
前記第１配線層には、第１端部対と、第２端部対と、連結部と、一対の第１配線部と、一対の第２配線部とが形成されており、
前記第１端部対は、前記第１接続対象物に接続されるものであり、
前記第２端部対は、前記第２接続対象物に接続されるものであり、
前記連結部は、第１連結点対と、第２連結点対と、内側配線部と、外側配線部と、グランド導体部とを有しており、
前記内側配線部及び前記外側配線部の夫々は、前記第１連結点対と前記第２連結点対との間に接続されており、
前記内側配線部の配線長と、前記外側配線部の配線長とは、互いに等しくなっており、
前記グランド導体部は、前記内側配線部と前記外側配線部との間に配置されており、
前記一対の第１配線部は、前記第１端部対と前記第１連結点対との間を接続しており、
前記一対の第１配線部の配線長は、互いに等しくなっており、
前記一対の第１配線部は、第１配線間距離をあけて互いに平行に延びており、
前記第１配線部の夫々は、前記第１連結点対から所定方向に延び始めており、
前記一対の第２配線部は、前記第２端部対と前記第２連結点対との間を接続しており、
前記一対の第２配線部の配線長は、互いに等しくなっており、
前記一対の第２配線部は、第２配線間距離をあけて互いに平行に延びており、
前記第２配線部の夫々は、前記第２連結点対から前記所定方向と交差する方向に延び始めており、
前記第２配線層には、グランドパターンが形成されており、
前記グランド導体部は、ビアを介して前記グランドパターンに接続されている
回路基板。
【請求項２】
請求項１記載の回路基板と、前記第１接続対象物としてのコネクタとを備えるコネクタ組立体であって、
前記コネクタは、複数の端子を備えており、
前記第１端部対は、前記コネクタの前記端子に接続されている
コネクタ組立体。
【請求項３】
請求項２記載のコネクタ組立体であって、
前記内側配線部は、前記内側配線部の延びる方向と直交する方向において、前記グランド導体部から第１距離だけ離れており、
前記第１距離は、前記第１配線間距離及び前記２配線間距離のいずれよりも短く、
前記外側配線部は、前記外側配線部の延びる方向と直交する方向において、前記グランド導体部から第２距離だけ離れており、
前記第２距離は、前記第１配線間距離及び前記第２配線間距離のいずれよりも短く、
前記第１距離と前記第２距離とは、互いに等しい
コネクタ組立体。
【請求項４】
請求項２又は請求項３記載のコネクタ組立体であって、
前記内側配線部は、内側直線部を有しており、
前記外側配線部は、外側直線部を有しており、
前記内側直線部と前記外側直線部とは、互いに平行に延びており、
前記外側直線部は、前記内側直線部よりも長い
コネクタ組立体。
【請求項５】
請求項２から請求項４までのいずれかに記載のコネクタ組立体であって、
前記グランド導体部は、２つの先端部を有しており、
前記２つの先端部の夫々は、前記内側配線部及び前記外側配線部から等距離にある中心線であって前記第１連結点対の中点と前記第２連結点対の中点とを結ぶ中心線上に位置しており、
前記第１連結点対の距離をＤ１、前記第２連結点対の距離をＤ２、前記内側配線部と前記先端部との距離をＤ３としたとき、Ｄ１＝Ｄ２、且つ、Ｄ１／２≧Ｄ３を満たしている
コネクタ組立体。
【請求項６】
請求項２から請求項５までのいずれかに記載のコネクタ組立体であって、
前記グランド導体部は、前記内側配線部と前記外側配線部との間の電気的な相互作用を遮断している
コネクタ組立体。
【請求項７】
請求項２から請求項６までのいずれかに記載のコネクタ組立体と、前記第２接続対象物としてのケーブルとを備えるケーブルハーネスであって、
前記ケーブルは、前記第２端部対に接続されている
ケーブルハーネス。
【発明の詳細な説明】
【技術分野】
【０００１】
本発明は、回路基板、コネクタ組立体及びケーブルハーネスに関する。
【背景技術】
【０００２】
図７を参照すると、特許文献１には、差動伝送路対９２０が形成された回路基板９００が開示されている。差動伝送路対９２０は、一対の第１配線部９２１と、一対の第２配線部９２８と、連結部９３０とを有している。一対の第１配線部９２１と、連結部９３０と、一対の第２配線部９２８とは、この順に連結されている。連結部９３０は、一対の第１連結部９３２と、一対の第３配線部９３３と、一対のスルーホール９３４と、一対の第４配線部９３６と、一対の第２連結部９３７とを有している。連結部９３０において、一対の第１連結部９３２と、一対の第３配線部９３３と、一対のスルーホール９３４と、一対の第４配線部９３６と、一対の第２連結部９３７とは、この順に連結されている。ここで、Ｙ方向において、第３配線部９３３及び第４配線部９３６を、第１配線部９２１及び第２配線部９２８と同じピッチ間隔で配置した場合、スルーホール９３４の存在により、第３配線部９３３から第４配線部９３６までの間の差動インピーダンスが第１配線部９２１及び第２配線部９２８と比較して低下するため、インピーダンス不整合が生じる。このため、特許文献１の差動伝送路対９２０においては、第１連結部９３２及び第２連結部９３７を設けて、第３配線部９３３及び第４配線部９３６のピッチ間隔を第１配線部９２１及び第２配線部９２８よりも広げて配置することにより、第３配線部９３３から第４配線部９３６までの差動インピーダンスを増加させてインピーダンス不整合を防止している。なお、第３配線部９３３から第４配線部９３６までの差動インピーダンスが高くなり過ぎた場合、図７に示すように、第３配線部９３３、スルーホール９３４及び第４配線部９３６のピッチ間に導電性材料９５０を挿入して差動インピーダンスを下げるように調整することもできる。
【先行技術文献】
【特許文献】
【０００３】
【特許文献１】特開２００４−１４８００号公報
【発明の概要】
【発明が解決しようとする課題】
【０００４】
差動伝送路対が設けられた回路基板を備えたケーブルハーネスにおいて、相手側コネクタとの嵌合方向とケーブルの配策方向とを直交させたいとの要望がある。ここで、ケーブルハーネスのケーブルが複数の単線の束で構成されている場合、ケーブルを折り曲げて嵌合方向と配策方向とを直交させようとすると、コネクタ組立体からケーブルの飛び出し量が大きくなってケーブルハーネスが嵩張るため好ましくない。
【０００５】
ケーブルハーネスのサイズを大きくすることなく嵌合方向と配策方向とを直交させるためには、回路基板上の差動伝送路対をＬ字状に曲げる手法が考えられる。しかしながら、回路基板上の差動伝送路対を単純にＬ字状に曲げて平行配置した場合、内側の配線の配線長が外側の配線の配線長よりも短くなるため、スキューが生じて伝送エラーが発生することとなる。このスキューを改善する手法として、差動伝送路対の曲がる部分において内側の配線の形状を変え、内側の配線の配線長と外側の配線の配線長とを互いに等しくすることが考えられる。
【０００６】
しかしながら、このように内側の配線の形状を変えた場合、スキューは生じないものの、差動伝送が乱れ、ディファレンシャルモードからコモンモードへの不要なモード変換が生じてディファレンシャルモード−コモンモード変換特性（コモンモードコンバージョン）が悪化するという新たな問題が生じる。
【０００７】
よって本発明は、スキューの抑制とコモンモードコンバージョンの悪化の抑制とを両立する回路基板を提供することを目的とする。
【課題を解決するための手段】
【０００８】
本出願人は、鋭意検討を重ねた結果、差動伝送が乱れる差動伝送路対の曲がる部分において、配線同士の電気的な相互作用を遮断し、夫々の配線で伝送される信号を疑似的にシングルエンド伝送として扱うことにより、スキューの抑制とコモンモードコンバージョンの悪化の抑制とを両立できることを見出し、本発明を完成するに至った。
【０００９】
即ち、本発明は、第１の回路基板として、
第１接続対象物と第２接続対象物との間を電気的に接続するための回路基板であって、
前記回路基板は、第１配線層と、第２配線層とを少なくとも備えており、
前記第１配線層には、第１端部対と、第２端部対と、連結部と、一対の第１配線部と、一対の第２配線部とが形成されており、
前記第１端部対は、前記第１接続対象物に接続されるものであり、
前記第２端部対は、前記第２接続対象物に接続されるものであり、
前記連結部は、第１連結点対と、第２連結点対と、内側配線部と、外側配線部と、グランド導体部とを有しており、
前記内側配線部及び前記外側配線部の夫々は、前記第１連結点対と前記第２連結点対との間に接続されており、
前記内側配線部の配線長と、前記外側配線部の配線長とは、互いに等しくなっており、
前記グランド導体部は、前記内側配線部と前記外側配線部との間に配置されており、
前記一対の第１配線部は、前記第１端部対と前記第１連結点対との間を接続しており、
前記一対の第１配線部の配線長は、互いに等しくなっており、
前記一対の第１配線部は、第１配線間距離をあけて互いに平行に延びており、
前記第１配線部の夫々は、前記第１連結点対から所定方向に延び始めており、
前記一対の第２配線部は、前記第２端部対と前記第２連結点対との間を接続しており、
前記一対の第２配線部の配線長は、互いに等しくなっており、
前記一対の第２配線部は、第２配線間距離をあけて互いに平行に延びており、
前記第２配線部の夫々は、前記第２連結点対から前記所定方向と交差する方向に延び始めており、
前記第２配線層には、グランドパターンが形成されており、
前記グランド導体部は、ビアを介して前記グランドパターンに接続されている
回路基板を提供する。
【００１０】
また、本発明は、第１のコネクタ組立体として、
第１の回路基板と、前記第１接続対象物としてのコネクタとを備えるコネクタ組立体であって、
前記コネクタは、複数の端子を備えており、
前記第１端部対は、前記コネクタの前記端子に接続されている
コネクタ組立体を提供する。
【００１１】
また、本発明は、第２のコネクタ組立体として、第１のコネクタ組立体であって、
前記内側配線部は、前記内側配線部の延びる方向と直交する方向において、前記グランド導体部から第１距離だけ離れており、
前記第１距離は、前記第１配線間距離及び前記２配線間距離のいずれよりも短く、
前記外側配線部は、前記外側配線部の延びる方向と直交する方向において、前記グランド導体部から第２距離だけ離れており、
前記第２距離は、前記第１配線間距離及び前記第２配線間距離のいずれよりも短く、
前記第１距離と前記第２距離とは、互いに等しい
コネクタ組立体を提供する。
【００１２】
また、本発明は、第３のコネクタ組立体として、第１又は第２のコネクタ組立体であって、
前記内側配線部は、内側直線部を有しており、
前記外側配線部は、外側直線部を有しており、
前記内側直線部と前記外側直線部とは、互いに平行に延びており、
前記外側直線部は、前記内側直線部よりも長い
コネクタ組立体を提供する。
【００１３】
また、本発明は、第４のコネクタ組立体として、第１から第３までのいずれかのコネクタ組立体であって、
前記グランド導体部は、２つの先端部を有しており、
前記２つの先端部の夫々は、前記内側配線部及び前記外側配線部から等距離にある中心線であって前記第１連結点対の中点と前記第２連結点対の中点とを結ぶ中心線上に位置しており、
前記第１連結点対の距離をＤ１、前記第２連結点対の距離をＤ２、前記内側配線部と前記先端部との距離をＤ３としたとき、Ｄ１＝Ｄ２、且つ、Ｄ１／２≧Ｄ３を満たしている
コネクタ組立体を提供する。
【００１４】
また、本発明は、第５のコネクタ組立体として、第１から第４までのいずれかのコネクタ組立体であって、
前記グランド導体部は、前記内側配線部と前記外側配線部との間の電気的な相互作用を遮断している
コネクタ組立体を提供する。
【００１５】
また、本発明は、ケーブルハーネスとして、
第１から第５までのいずれかに記載のコネクタ組立体と、前記第２接続対象物としてのケーブルとを備えるケーブルハーネスであって、
前記ケーブルは、前記第２端部対に接続されている
ケーブルハーネスを提供する。
【発明の効果】
【００１６】
本発明の回路基板においては、一対の第１配線部の配線長は互いに等しくなっており、内側配線部の配線長と外側配線部の配線長とは互いに等しくなっており、一対の第２配線部の配線長は互いに等しくなっている。これにより、差動伝送路対の配線長は互いに等しくなっているため、スキューが抑制されている。また、内側配線部と外側配線部との間には、第２配線層に形成されたグランドパターンにビア（ビアホール）を介して接続されたグランド導体部が配置されている。これにより、内側配線部と外側配線部とは電気的な相互作用が遮断されており、内側配線部及び外側配線部の夫々で伝送される信号は疑似的にシングルエンド伝送として扱われるため、コモンモードコンバージョンの悪化が抑制されている。これらのことから、本発明の回路基板においては、スキューの抑制とコモンモードコンバージョンの悪化の抑制の両立が図られている。
【図面の簡単な説明】
【００１７】
【図１】本発明の実施の形態によるケーブルハーネスを示す斜視図である。図において、ケーブルハーネスに含まれるケーブルは簡略化して示されている。
【図２】図１のケーブルハーネスに含まれる回路基板を示す上面図である。図において、差動伝送路対の一部を拡大して示している。
【図３】図２の回路基板を示す斜視図である。
【図４】図３の回路基板に含まれる銅箔の層構造を示す斜視図である。
【図５】図４の銅箔の第１層、第６層及びビアを示す斜視図である。
【図６】図５の銅箔の１層目を示す斜視図である。図において、差動伝送路対の一部を拡大して示している。
【図７】特許文献１の回路基板を示す上面図である。
【発明を実施するための形態】
【００１８】
図１に示されるように、本発明の実施の形態によるケーブルハーネス１０は、コネクタ組立体７００と、第２接続対象物６００としてのケーブル６００とを備えている。なお、図１のケーブル６００は、簡略化されて複数の絶縁被覆単線のみ示されているが、実際は複数の絶縁被覆単線を束ねて外皮で覆った多芯ケーブルである。
【００１９】
図１に示されるように、本実施の形態のコネクタ組立体７００は、第１接続対象物５００としてのコネクタ５００と、回路基板１００とを備えている。
【００２０】
図１を参照すると、本実施の形態のコネクタ５００は、相手側コネクタ（図示せず）と嵌合方向に沿って嵌合するものである。本実施の形態において、嵌合方向はＸ方向である。図１に示されるように、本実施の形態のコネクタ５００は、複数の端子５１０と、嵌合部５２０とを備えている。端子５１０は、コネクタ５００の−Ｘ側端において後述するように回路基板１００に接続されている。嵌合部５２０は、コネクタ５００の＋Ｘ側端において開口している。
【００２１】
図１に示されるように、本実施の形態の回路基板１００は、コネクタ５００と、コネクタ（第１接続対象物）５００とケーブル（第２接続対象物）６００との間を電気的に接続するためのものである。
【００２２】
図３及び図４を参照すると、本実施の形態の回路基板１００は、６層基板である。即ち、本実施の形態の回路基板１００は、６層（第１層〜第６層）の銅箔を有している。なお、図４において誘電体層は省略されている。
【００２３】
より詳しくは、図３及び図４を参照すると、本実施の形態の回路基板１００は、２つの第１配線層２００と、２つの第２配線層４００と、複数のビア（ビアホール）４２０と、２つの第３配線層（電源層）８００とを備えている。第１配線層２００は、嵌合方向と直交する上下方向において第２配線層４００の外側に位置している。第２配線層４００は、上下方向において第３配線層８００の外側に位置している。本実施の形態において、上下方向はＺ方向である。回路基板１００の銅箔の第１層及び第６層は、２つの第１配線層２００に夫々対応している。回路基板１００の銅箔の第２層及び第５層は、２つの第２配線層４００に夫々対応している。回路基板１００の銅箔の第３層及び第４層は、２つの第３配線層８００に夫々対応している。
【００２４】
図２及び図３に示されるように、本実施の形態の第１配線層２００の夫々は、嵌合方向と直交方向とで構成される平面内に広がっている。本実施の形態において、直交方向は嵌合方向及び上下方向の双方と直交する方向であり、Ｙ方向である。
【００２５】
図３に示されるように、本実施の形態の第１配線層２００には、２組の差動伝送路対２０５が形成されている。なお図３においては、２組の差動伝送路対２０５の間に位置し、＋Ｚ側の第１配線層２００の第１端部対２１０と−Ｚ側の第１配線層２００の第２端部対２２０との間を信号が流れる差動伝送路対も示されている。２組の差動伝送路対２０５には、差動伝送路対２０６，２０８が含まれている。差動伝送路対２０６，２０８の夫々は、第１端部対２１０と、第２端部対２２０と、連結部３００と、一対の第１配線部２８０と、一対の第２配線部２９０を有している。なお、本発明はこれに限定されず、第１配線層２００には、少なくとも１組の差動伝送路対２０５が形成されていればよい。即ち、第１配線層２００には、第１端部対２１０と、第２端部対２２０と、連結部３００と、一対の第１配線部２８０と、一対の第２配線部２９０が形成されていればよい。
【００２６】
図２に示されるように、本実施の形態の第１端部対２１０は、直交方向に並んでいる。図１に示されるように、本実施の形態の第１端部対２１０は、コネクタ５００の端子５１０に接続されている。各組の差動伝送路対２０５の第１端部対２１０は、２つの第１端部２１２で構成されている。２つの第１端部２１２は、＋Ｙ側の第１端部２１２と、−Ｙ側の第１端部２１２とを含んでいる。
【００２７】
図２に示されるように、本実施の形態の第２端部対２２０は、嵌合方向に並んでいる。図１に示されるように、本実施の形態の第２端部対２２０は、第２接続対象物（ケーブル）６００に接続されている。再び図２を参照して、各組の差動伝送路対２０５の第２端部対２２０は、２つの第２端部２２２で構成されている。２つの第２端部２２２は、＋Ｘ側の第２端部２２２と、−Ｘ側の第２端部２２２とを含んでいる。
【００２８】
図３に示されるように、本実施の形態の連結部３００は、第１連結点対３１０と、第２連結点対３２０と、内側配線部３４０と、外側配線部３６０と、グランド導体部３８０とを有している。
【００２９】
図３に示されるように、本実施の形態の第１連結点対３１０は、連結部３００の＋Ｘ側の端部である。第１連結点対３１０は、２つの第１連結点３１２で構成されている。２つの第１連結点３１２は、＋Ｙ側の第１連結点３１２と、−Ｙ側の第１連結点３１２とを含んでいる。図６を参照すると、本実施の形態の第１連結点対３１０は、距離Ｄ１だけ離れている。即ち、２つの第１連結点３１２は、距離Ｄ１だけ離れている。
【００３０】
図３に示されるように、本実施の形態の第２連結点対３２０は、連結部３００の＋Ｙ側の端部である。第２連結点対３２０は、２つの第２連結点３２２で構成されている。２つの第２連結点３２２は、＋Ｘ側の第２連結点３２２と、−Ｘ側の第２連結点３２２とを含んでいる。図６を参照すると、本実施の形態の第２連結点対３２０は、距離Ｄ２だけ離れている。即ち、２つの第２連結点３２２は、距離Ｄ２だけ離れている。ここで、本実施の形態の第１連結点対３１０及び第２連結点対３２０においては、Ｄ１＝Ｄ２を満たしている。
【００３１】
図３に示されるように、本実施の形態の内側配線部３４０は、第１連結点対３１０と第２連結点対３２０との間に接続されている。より詳しくは、本実施の形態の内側配線部３４０は、第１連結点対３１０の＋Ｙ側の第１連結点３１２と第２連結点対３２０の＋Ｘ側の第２連結点３２２との間に接続されている。
【００３２】
図２に示されるように、本実施の形態の内側配線部３４０は、内側第１曲部３４４と、内側直線部３４２と、内側第２曲部３４６とを有している。
【００３３】
図２に示されるように、本実施の形態の内側第１曲部３４４は、第１連結点対３１０の＋Ｙ側の第１連結点３１２と内側直線部３４２とを接続している。
【００３４】
図２に示されるように、本実施の形態の内側直線部３４２は、直線形状を有している。本実施の形態の内側直線部３４２は、内側第１曲部３４４と内側第２曲部３４６とを接続している。より詳しくは、本実施の形態の内側直線部３４２は、内側第１曲部３４４の＋Ｙ側端から−Ｘ方向且つ＋Ｙ方向に延びており、内側第２曲部３４６の＋Ｘ側端に接続されている。
【００３５】
図２に示されるように、本実施の形態の内側第２曲部３４６は、内側直線部３４２と第２連結点対３２０の＋Ｘ側の第２連結点３２２とを接続している。
【００３６】
図３に示されるように、本実施の形態の外側配線部３６０は、第１連結点対３１０と第２連結点対３２０との間に接続されている。より詳しくは、本実施の形態の外側配線部３６０は、第１連結点対３１０の−Ｙ側の第１連結点３１２と第２連結点対３２０の−Ｘ側の第２連結点３２２の間に接続されている。
【００３７】
図２に示されるように、本実施の形態の外側配線部３６０は、外側第１曲部３６４と、外側直線部３６２と、外側第２曲部３６６とを有している。
【００３８】
図２に示されるように、本実施の形態の外側第１曲部３６４は、第１連結点対３１０の−Ｙ側の第１連結点３１２と外側直線部３６２とを接続している。
【００３９】
図２に示されるように、本実施の形態の外側直線部３６２は、直線形状を有している。本実施の形態の外側直線部３６２は、外側第１曲部３６４と外側第２曲部３６６とを接続している。より詳しくは、本実施の形態の外側直線部３６２は、外側第１曲部３６４の＋Ｙ側端から−Ｘ方向且つ＋Ｙ方向に延びており、外側第２曲部３６６の＋Ｘ側端に接続されている。
【００４０】
図２に示されるように、本実施の形態において、内側直線部３４２と外側直線部３６２とは、互いに平行に延びている。また、外側直線部３６２は、内側直線部３４２よりも長くなっている。
【００４１】
図２に示されるように、本実施の形態の外側第２曲部３６６は、外側直線部３６２と第２連結点対３２０の−Ｘ側の第２連結点３２２とを接続している。
【００４２】
図２及び図３を参照して、本実施の形態の内側配線部３４０の配線長と、外側配線部３６０の配線長とは、互いに等しくなっている。
【００４３】
図２及び図３に示されるように、本実施の形態のグランド導体部３８０は、内側配線部３４０と外側配線部３６０との間に配置されている。また、本実施の形態において、グランド導体部３８０と、内側配線部３４０と、外側配線部３６０とは、上下方向と直交する同一平面上に位置している。
【００４４】
ここで、上述のように、本実施の形態の内側配線部３４０及び外側配線部３６０は、直線形状の内側直線部３４２及び外側直線部３６２を有していることから、内側配線部３４０と外側配線部３６０との間にグランド導体部３８０を配置しつつ第１連結点対３１０と第２連結点対３２０とを最短距離で接続することができるため、回路基板１００の第１配線層２００において差動伝送路対２０５の占有領域は極小化されている。
【００４５】
図２及び図３に示されるように、本実施の形態のグランド導体部３８０は、２つの先端部３８２と、第１傾斜部３８４と、第２傾斜部３８６と、本体部３８８とを有している。
【００４６】
図２に示されるように、本実施の形態の２つの先端部３８２は、嵌合方向において、グランド導体部３８０の両端に位置している。また、本実施の形態の２つの先端部３８２は、直交方向においても、グランド導体部３８０の両端に位置している。
【００４７】
図６を参照して、本実施の形態の２つの先端部３８２の夫々は、内側配線部３４０及び外側配線部３６０から等距離にある中心線３７０であって第１連結点対３１０の中点と第２連結点対３２０の中点とを結ぶ中心線３７０上に位置している。ここで、内側配線部３４０と先端部３８２との距離をＤ３としたとき、Ｄ１／２≧Ｄ３を満たしている。また、上述のように、第１連結点対３１０の距離Ｄ１と、第２連結点対３２０の距離Ｄ２とは互いに等しくなっていることから、Ｄ２／２≧Ｄ３も満たされる。
【００４８】
より詳しくは、図６に示されるように、本実施の形態の２つの先端部３８２は、＋Ｘ側に位置する第１先端部３８３と、−Ｘ側に位置する第２先端部３８５とで構成されている。
【００４９】
図６を参照すると、本実施の形態の第１先端部３８３は、内側配線部３４０の内側第１曲部３４４と外側配線部３６０の外側第１曲部３６４との間に位置している。ここで、第１先端部３８３は、内側配線部３４０の内側第１曲部３４４から距離Ｄ３だけ離れており、外側配線部３６０の外側第１曲部３６４からも距離Ｄ３だけ離れている。
【００５０】
また、図６に示されるように、本実施の形態の第２先端部３８５は、内側配線部３４０の内側第２曲部３４６と外側配線部３６０の外側第２曲部３６６との間に位置している。ここで、第２先端部３８５は、内側配線部３４０の内側第２曲部３４６から距離Ｄ３だけ離れており、外側配線部３６０の外側第２曲部３６６からも距離Ｄ３だけ離れている。
【００５１】
図２に示されるように、本実施の形態の第１傾斜部３８４及び第２傾斜部３８６の夫々は、上下方向に沿って見た場合、概略三角形形状を有している。第１傾斜部３８４は、内側配線部３４０の内側第１曲部３４４と外側配線部３６０との間に位置している。第１先端部３８３は、第１傾斜部３８４の＋Ｘ側端である。また、第２傾斜部３８６は、内側配線部３４０の内側第２曲部３４６と外側配線部３６０との間に位置している。第２先端部３８５は、第２傾斜部３８６の−Ｘ側端である。
【００５２】
図６を参照すると、本実施の形態において、第１傾斜部３８４は、第１先端部３８３から本体部３８８に向かうにつれて内側第１曲部３４４からわずかに離れている。また、第２傾斜部３８６は、第２先端部３８５から本体部３８８に向かうにつれて内側第２曲部３４６からわずかに離れている。これにより、内側直線部３４２と本体部３８８との距離は、Ｄ１より小さく、Ｄ１／２より大きくなっている。
【００５３】
図２に示されるように、本実施の形態の本体部３８８は、上下方向に沿って見た場合、概略長方形形状を有している。本体部３８８は、第１傾斜部３８４と第２傾斜部３８６との間に位置している。即ち、本体部３８８は、第１傾斜部３８４と第２傾斜部３８６とを接続している。
【００５４】
図２に示されるように、本実施の形態の内側配線部３４０は、内側配線部３４０の延びる方向と直交する方向において、グランド導体部３８０から第１距離３９０だけ離れている。より詳しくは、本実施の形態の内側配線部３４０の内側直線部３４２は、内側直線部３４２の延びる方向と直交する方向において、グランド導体部３８０の本体部３８８から第１距離３９０だけ離れている。
【００５５】
図２に示されるように、本実施の形態の外側配線部３６０は、外側配線部３６０の延びる方向と直交する方向において、グランド導体部３８０から第２距離３９２だけ離れている。より詳しくは、本実施の形態の外側配線部３６０の外側直線部３６２は、外側直線部３６２の延びる方向と直交する方向において、グランド導体部３８０の本体部３８８から第２距離３９２だけ離れている。
【００５６】
図３に示されるように、本実施の形態において、一対の第１配線部２８０は、第１端部対２１０と第１連結点対３１０との間を接続している。また、一対の第１配線部２８０の配線長は、互いに等しくなっている。一対の第１配線部２８０は、第１配線間距離２８２をあけて互いに平行に延びている。本実施の形態の第１配線部２８０の夫々は、第１連結点対３１０から所定方向に延び始めている。本実施の形態において、所定方向はＸ方向である。
【００５７】
より詳しくは、図３に示されるように、本実施の形態において、一対の第１配線部２８０は、＋Ｙ側の第１配線部２８０と、−Ｙ側の第１配線部２８０とで構成されている。＋Ｙ側の第１配線部２８０は、第１端部対２１０の＋Ｙ側の第１端部２１２と第１連結点対３１０の＋Ｙ側の第１連結点３１２との間を接続している。−Ｙ側の第１配線部２８０は、第１端部対２１０の−Ｙ側の第１端部２１２と第１連結点対３１０の−Ｙ側の第１連結点３１２との間を接続している。＋Ｙ側の第１配線部２８０は、＋Ｙ側の第１連結点３１２から所定方向に延び始めている。−Ｙ側の第１配線部２８０は、−Ｙ側の第１連結点３１２から所定方向に延び始めている。
【００５８】
図３に示されるように、本実施の形態において、一対の第２配線部２９０は、第２端部対２２０と第２連結点対３２０との間を接続している。また、一対の第２配線部２９０の配線長は、互いに等しくなっている。一対の第２配線部２９０は、第２配線間距離２９２をあけて互いに平行に延びている。第２配線部２９０の夫々は、第２連結点対３２０から所定方向と直交する直交方向に延び始めている。しかしながら、本発明はこれに限定されず、第２配線部２９０の夫々は、第２連結点対３２０から所定方向と交差する方向に延び始めていればよい。
【００５９】
図３を参照して、本実施の形態においては、第１配線間距離２８２は、第２配線間距離２９２と等しくなっている。また、図３及び図６を参照して、第１配線間距離２８２は、第１連結点対３１０の距離Ｄ１及び第２連結点対３２０の距離Ｄ２の何れとも等しくなっている。
【００６０】
より詳しくは、図３に示されるように、本実施の形態において、一対の第２配線部２９０は、＋Ｘ側の第２配線部２９０と、−Ｘ側の第２配線部２９０とで構成されている。＋Ｘ側の第２配線部２９０は、第２端部対２２０の＋Ｘ側の第２端部２２２と第２連結点対３２０の＋Ｘ側の第２連結点３２２との間を接続している。−Ｘ側の第２配線部２９０は、第２端部対２２０の−Ｘ側の第２端部２２２と第２連結点対３２０の−Ｘ側の第２連結点３２２との間を接続している。＋Ｘ側の第２配線部２９０は、＋Ｘ側の第２連結点３２２から直交方向に延び始めている。−Ｘ側の第２配線部２９０は、−Ｘ側の第２連結点３２２から直交方向に延び始めている。
【００６１】
上述のように、一対の第１配線部２８０の配線長は互いに等しくなっており、内側配線部３４０の配線長と外側配線部３６０の配線長とは互いに等しくなっており、一対の第２配線部２９０の配線長は互いに等しくなっている。これにより、差動伝送路対２０５の配線長は互いに等しくなっているため、スキューが抑制されている。
【００６２】
図２及び図３を参照して、本実施の形態において、第１距離３９０は、第１配線間距離２８２及び第２配線間距離２９２のいずれよりも短くなっている。また、第２距離３９２は、第１配線間距離２８２及び第２配線間距離２９２のいずれよりも短くなっている。更に、第１距離３９０と第２距離３９２とは、互いに等しくなっている。
【００６３】
図４を参照すると、本実施の形態の第２配線層４００の夫々は、嵌合方向と直交方向とで構成される平面内に広がっている。本実施の形態の第２配線層４００の夫々には、グランドパターン４１０が形成されている。
【００６４】
図４を参照すると、本実施の形態のグランドパターン４１０は、第１配線部２８０、連結部３００、第２配線部２９０及びグランド導体部３８０の夫々と、上下方向において少なくとも重なっている。
【００６５】
図５に示されるように、本実施の形態のビア４２０は、回路基板１００内において上下方向に延びている。本実施の形態のビア４２０は、第１配線層２００のグランド導体部３８０と第２配線層４００のグランドパターン４１０とを接続している。より詳しくは、２つの第１配線層２００のグランド導体部３８０と、２つの第２配線層４００のグランドパターン４１０とは、ビア４２０を介して相互に接続されている。
【００６６】
図４を参照すると、本実施の形態の第３配線層８００の夫々は、嵌合方向と直交方向とで構成される平面内に広がっている。第３配線層８００の夫々は、ビア４２０と接続されていない。
【００６７】
上述のように、本実施の形態の差動伝送路対２０５においては、ビア４２０を介して第２配線層４００のグランドパターン４１０に接続されているグランド導体部３８０が、連結部３００の内側配線部３４０と外側配線部３６０との間に配置されている。これにより、グランド導体部３８０は、内側配線部３４０と外側配線部３６０との間の電気的な相互作用を遮断しており、内側配線部３４０及び外側配線部３６０の夫々で伝送される信号は疑似的にシングルエンド伝送として扱われるため、コモンモードコンバージョンの悪化が抑制されている。
【００６８】
以上、本発明について、実施の形態を掲げて具体的に説明してきたが、本発明はこれに限定されるわけではなく、種々の変形が可能である。
【００６９】
本実施の形態の回路基板１００は、２つの第１配線層２００と、２つの第２配線層４００と、２つの第３配線層（電源層）８００とを有していたが、本発明はこれに限定されない。即ち、回路基板１００は、１つの第１配線層２００と、１つの第２配線層４００とを少なくとも備えていればよい。
【符号の説明】
【００７０】
１０        ケーブルハーネス
１００        回路基板
２００        第１配線層
２０５        差動伝送路対
２０６        差動伝送路対
２０８        差動伝送路対
２１０        第１端部対
２１２        第１端部
２２０        第２端部対
２２２        第２端部
２８０        第１配線部
２８２        第１配線間距離
２９０        第２配線部
２９２        第２配線間距離
３００        連結部
３１０        第１連結点対
３１２        第１連結点
３２０        第２連結点対
３２２        第２連結点
３４０        内側配線部
３４２        内側直線部
３４４        内側第１曲部
３４６        内側第２曲部
３６０        外側配線部
３６２        外側直線部
３６４        外側第１曲部
３６６        外側第２曲部
３７０        中心線
３８０        グランド導体部
３８２        先端部
３８３        第１先端部
３８４        第１傾斜部
３８５        第２先端部
３８６        第２傾斜部
３８８        本体部
３９０        第１距離
３９２        第２距離
４００        第２配線層
４１０        グランドパターン
４２０        ビア（ビアホール）
５００        第１接続対象物（コネクタ）
５１０        端子
５２０        嵌合部
６００        第２接続対象物（ケーブル）
７００        コネクタ組立体
８００        第３配線層（電源層）
Ｄ１          距離
Ｄ２          距離
Ｄ３          距離
【図１】
2019114672.tif 000003
【図２】
2019114672.tif 000004
【図３】
2019114672.tif 000005
【図４】
2019114672.tif 000006
【図５】
2019114672.tif 000007
【図６】
2019114672.tif 000008
【図７】
2019114672.tif 000009